(57)【要約】【課題】  複数の障害部材と当接させた基部によって設定される仮想基準面に対して、障害部材の傾斜角度を容易かつ精度よく測定できる障害部材傾斜測定装置の提供を目的とする。【解決手段】  障害部材傾斜測定装置１は、遊技機１００に設けられた釘１０の傾斜角度を測定する傾斜角度測定手段３を備えており、傾斜角度測定手段３が、複数の釘１０と当接させたベースプレート２によって設定される仮想基準面２００に対して、生命釘１１の傾斜角度を測定する構成としてある。【選択図】  図１
2006158882.tif 000002
【特許請求の範囲】
【請求項１】
遊技機に設けられた障害部材の傾斜角度を測定する傾斜角度測定手段を備えた障害部材傾斜測定装置であって、
前記傾斜角度測定手段が、複数の前記障害部材と当接する基部を備え、
前記傾斜角度測定手段が、前記基部によって設定される仮想基準面に対して、前記障害部材の傾斜角度を測定する
ことを特徴とする障害部材傾斜測定装置。
【請求項２】
前記基部を、透明な平板部材としたことを特徴とする請求項１記載の障害部材傾斜測定装置。
【請求項３】
前記基部に、前記傾斜角度測定手段を回転自在に設けたことを特徴とする請求項１又は２記載の障害部材傾斜測定装置。
【請求項４】
前記基部に、前記傾斜角度測定手段を取り付ける二以上の取付け孔を配設するとともに、前記取付け孔に対し着脱自在な前記傾斜角度測定手段を備えたことを特徴とする請求項１〜３のいずれかに記載の障害部材傾斜測定装置。
【請求項５】
前記傾斜角度測定手段が、前記障害部材の一の測定部分と当接する固定部と、回動自在に軸支されるとともに、前記障害部材の他の測定部分と当接する測定部と、この測定部を前記障害部材側に付勢する付勢部材と、前記測定部の傾斜角度にもとづいて、前記障害部材の傾斜角度を表示する表示手段及び／又は前記障害部材の傾斜角度を記録する記録手段とを備えたことを特徴とする請求項１〜４のいずれかに記載の障害部材傾斜測定装置。
【請求項６】
前記傾斜角度測定手段が、前記障害部材の一の測定部分の像と他の測定部分の像を結像する光学系と、この光学系からの像を電気信号に置き換える信号変換手段と、この信号変換手段からの前記電気信号にもとづいて前記障害部材における前記二以上の測定部分の画像を表示する画像表示手段，及び／又は，前記信号変換手段からの前記電気信号にもとづいて、前記障害部材の傾斜角度を算出する解析手段とを備えたことを特徴とする請求項１〜４のいずれかに記載の障害部材傾斜測定装置。
【請求項７】
前記障害部材の一の測定部分と他の測定部分のいずれか一方を、前記遊技機の盤面に近い部分とし、他の一方を、前記障害部材の頭部底面に近い部分としたことを特徴とする請求項５又は６記載の障害部材傾斜測定装置。
【発明の詳細な説明】
【技術分野】
【０００１】
本発明は、遊技機の盤面に突設された釘（障害部材）の傾斜角度を測定する障害部材傾斜測定装置に関し、特に、複数の釘の頭部と当接させた基部によって設定される仮想基準面に対して、釘の傾斜角度を容易かつ精度よく測定できる障害部材傾斜測定装置に関する。
【背景技術】
【０００２】
パチンコ機，アレンジボール機，雀球機など、球状の遊技媒体（例えば、パチンコ玉等）を使用して遊技を行う各種の遊技機が知られている。
例えば、図９に示すように、パチンコ機１００の盤面１１０には、入賞口１３１，始動口１３２，大入賞口１３３などの遊技部品１３０や、図柄が変動する様子を表示する変動図柄表示装置１４０、盤面１１０に突設された多数の釘１０などが配置されている。
これらのうち、障害部材としての釘１０は、通常、２００〜３００本程度が盤面１１０の所定の位置にそれぞれ分散あるいは列状に配設されている。
【０００３】
釘１０は、パチンコ機１００の盤面１１０の上方から落下してくる遊技媒体（図示せず）の進行方向を変化させているが、特に、遊技媒体が入賞する遊技部品１３０の開口上方に設けられた一対以上の釘１０（いわゆる生命釘１１）は、それらの開度（通常、水平方向の傾斜角度）と上下方向の傾斜角度が遊技部品１３０への入賞の確率に大きな影響を与えている。ちなみに、開度が大きいほど遊技媒体が入賞しやすくなり、また、上方向に傾斜しているほど遊技媒体が入賞しやすくなる。
ところが、釘１０は、遊技中、大量の遊技媒体に幾度も衝突されるため、その傾斜角度が徐々にではあるが変化する。
このため、遊技ホールでは、釘１０の傾斜角度を測定して、それらが初期の状態を維持しているか否かを確認している。
【０００４】
釘１０の傾斜角度の確認（測定・調整）は、従前においては、専門家（いわゆる釘師）やホール従業員等が、自らの経験と感覚とを頼りに行っていた。これには確かな技能が必要であり、それを養うには相当の年月と経験が必要であった。
そこで、それほどの経験等を要することなく、誰にでも簡単に障害部材の傾斜角度を測定できる器具や方法が従来から種々提案されている。
例えば、障害部材の傾斜角度を機械的に測定する技術として、次のようなものがある。
板状本体と二本の脚部とを有した測定具（測定ゲージ）であって、一本の脚部の一側面がこの脚部の軸方向に対し所定の角度を有して形成されており、二本の脚部の先端をそれぞれ遊技機の盤面に当接させたときに、その一本の脚部の一側面が障害部材の側面に隙間なく当接したか否かによって、障害部材の角度がその所定の角度か否かを判断するものがある（例えば、特許文献１参照。）。
【０００５】
また、他の技術としては、障害部材の側面に当接させる面（当接面）が形成された可動部材と、遊技機の盤面に載置される目盛板とを有し、この可動部材を可動させてその当接面を障害部材の側面に当接させ、その可動部材の変位（傾きの度合い）を障害部材の角度として測定するものがある（例えば、特許文献２〜４参照。）。
さらに、他の技術としては、遊技盤の左右方向に亘って掛け渡される支持板と、この支持板に載置される角度測定装置本体とからなり、角度測定装置本体を上下左右方向に移動させ、かつ、釘の傾斜方向に角度測定装置本体を回転させて、釘の傾斜角度を測定するものがある（例えば、特許文献５参照。）。
【０００６】
また、障害部材の角度を、画像を用いて測定する技術としては、次のようなものがある。
障害部材の軸方向とカメラの光軸方向とが一致するようにカメラを移動させ、このカメラで撮影された障害部材の映像は画像表示し、その一致したときのカメラの位置にもとづき障害部材の角度を測定するものがある（例えば、特許文献６参照。）。
【特許文献１】登録実用新案第３０４２６６３号公報
【特許文献２】特開平９−０９４３２６号公報
【特許文献３】特開２０００−２３７３９４号公報
【特許文献４】特開平１０−３００４０４号公報
【特許文献５】特開平９−１８２８３２号公報
【特許文献６】特開平９−２５３２８５号公報
【発明の開示】
【発明が解決しようとする課題】
【０００７】
しかしながら、遊技機の盤面に目盛板等を載置し、盤面を基準として障害部材（釘）の傾斜角度を測定する従来の技術（上記特許文献１〜４）は、盤面に配設されたアタッカー，役物，入賞口，風車，ガイド，演出部品，液晶ディスプレイなどによって、目盛板等を盤面に載置できない場合がある。すなわち、自由に測定できない場合があり、かかる場合に、測定の信頼性を低下させるといった問題があった。特に、最も重要な生命釘は、始動チャッカーや役物と接近しており、生命釘の水平方向及び垂直方向の傾斜が、パチンコ機の収益に大きな影響を与えるにもかかわらず、測定が困難な場合があるといった問題があった。
【０００８】
また、上記特許文献５又は６に記載された技術は、遊技機の遊技盤を基準としており、角度測定装置本体を支持する支持部材が大型化するといった問題があった。さらに、測定するには、遊技盤を遊技機から取り外す必要があり、簡易に測定することができないといった問題があった。
【０００９】
本発明は、上記の事情にかんがみなされたものであり、複数の障害部材と当接させた基部によって設定される仮想基準面に対して、障害部材の傾斜角度を容易かつ精度よく測定できる障害部材傾斜測定装置の提供を目的とする。
【００１０】
なお、本発明者は、遊技機の盤面に約２００〜３００本打ち込まれている釘の高さが、自動機械によりほぼ一定に（極めて精度よく）打ち込まれており、複数の釘の上端をなぞるような平板を載せれば、この平板が盤面と平行になり、かつ、障害物もなく自由に盤面上を動き回れることに着目し、上下方向，左右方向及び任意の方向の傾斜角度を容易かつ精度よく測定することのできる障害部材傾斜測定装置を想到したものである。
【課題を解決するための手段】
【００１１】
この目的を達成するため、本発明の障害部材傾斜測定装置は、遊技機に設けられた障害部材の傾斜角度を測定する傾斜角度測定手段を備えた障害部材傾斜測定装置であって、前記傾斜角度測定手段が、複数の前記障害部材と当接する基部を備え、前記傾斜角度測定手段が、前記基部によって設定される仮想基準面に対して、前記障害部材の傾斜角度を測定する構成としてある。
このようにすると、障害部材（釘）が、遊技機の盤面に配設された障害物（たとえば、アタッカー，役物，入賞口，風車，ガイド部材，演出部品，液晶表示装置など）と接近している場合であっても、仮想基準面を容易に設定することができ、容易かつ精度よく傾斜角度を測定することができる。
【００１２】
また、本発明の障害部材傾斜測定装置は、前記基部を、透明な平板部材とした構成としてある。
このようにすると、基部の裏側における障害部材等の状態を目視することができるので、傾斜角度を測定する障害部材に対して、傾斜角度測定手段を容易に位置合わせすることができ、作業性を向上させることができる。
【００１３】
また、本発明の障害部材傾斜測定装置は、前記基部に、前記傾斜角度測定手段を回転自在に設けた構成としてある。
このようにすると、傾斜角度測定手段の測定方向を容易に合わせることができ、作業効率をさらに向上させることができる。
【００１４】
また、本発明の障害部材傾斜測定装置は、前記基部に、前記傾斜角度測定手段を取り付ける二以上の取付け孔を配設するとともに、前記取付け孔に対し着脱自在な前記傾斜角度測定手段を備えた構成としてある。
このようにすると、傾斜角度測定手段を異なる取付け孔に容易に取り付けることができ、複数の障害部材の傾斜角度を効率よく測定することができる。
【００１５】
また、本発明の障害部材傾斜測定装置は、前記傾斜角度測定手段が、前記障害部材の一の測定部分と当接する固定部と、回動自在に軸支されるとともに、前記障害部材の他の測定部分と当接する測定部と、この測定部を前記障害部材側に付勢する付勢部材と、前記測定部の傾斜角度にもとづいて、前記障害部材の傾斜角度を表示する表示手段及び／又は前記障害部材の傾斜角度を記録する記録手段とを備えた構成としてある。
このようにすると、傾斜角度測定手段の固定部と測定部を、任意の角度に傾斜した障害部材に当接させることができ、障害部材の傾斜角度を容易かつ精度よく測定することができる。
【００１６】
また、本発明の障害部材傾斜測定装置は、前記傾斜角度測定手段が、前記障害部材の一の測定部分の像と他の測定部分の像を結像する光学系と、この光学系からの像を電気信号に置き換える信号変換手段と、この信号変換手段からの前記電気信号にもとづいて前記障害部材における前記二以上の測定部分の画像を表示する画像表示手段，及び／又は，前記信号変換手段からの前記電気信号にもとづいて、前記障害部材の傾斜角度を算出する解析手段とを備えた構成としてある。
このようにすると、一つの障害部材における複数部分の像が光学系で結像されることから、それら複数部分の各像間の差異を視認するなどして確認することにより、障害部材の傾斜角度を容易かつ精度よく測定することができる。
【００１７】
また、本発明の障害部材傾斜測定装置は、前記障害部材の一の測定部分と他の測定部分のいずれか一方を、前記遊技機の盤面に近い部分とし、他の一方を、前記障害部材の頭部底面に近い部分とした構成としてある。
このようにすると、一つの障害部材におけるより離れた二以上の測定部分を測定対象とすることができ、測定精度を向上させることができる。
【発明の効果】
【００１８】
本発明によれば、障害部材が遊技機の盤面に配設された障害物と接近する場合であっても、仮想基準面を容易に設定することができ、容易かつ精度よく傾斜角度を測定することができる。
【発明を実施するための最良の形態】
【００１９】
［第一実施形態］
図１は、本発明の第一実施形態にかかる障害部材傾斜測定装置の概略図であり、（ａ）は縦方向断面図を、（ｂ）はＡ−Ａ断面図を示している。
同図において、障害部材傾斜測定装置１は、パチンコ機１００の盤面１１０に配設された複数の釘１０によって形成される仮想基準面２００に載置される平板状のベースプレート（基部）２と、このベースプレート２に設けられ、釘１０の傾斜角度を測定する傾斜角度測定手段３とからなっている。
なお、本実施形態は、遊技機をパチンコ機１００としてあるが、これに限定されるものではなく、たとえば、アレンジボール機や雀球機としてもよい。また、障害部材を、パチンコ機１００に使用される釘１０としてあるが、これに限定されるものではない。
【００２０】
（ベースプレート）
ベースプレート２は、盤面１１０の複数の釘１０を覆う大きさの平板であり、本実施形態では、ほぼ矩形状としてある。このようにすると、複数の釘１０の最上部と当接されたベースプレート２によって仮想基準面２００が設定されるとともに、釘１０の最上部をなぞるようにベースプレート２を自由自在に動かすことができ、測定作業を効率よく行うことができる。また、ベースプレート２は、透明なアクリル樹脂からなり、ベースプレート２の背面側にある盤面１１０の状況を目視することができるので、さらにベースプレート２をスムースに移動させることができ、作業性を向上させることができる。
なお、本実施形態では、ベースプレート２をほぼ矩形状としてあるが、この形状に限定されるものではなく、仮想基準面２００に安定して載置される形状であればよい。
【００２１】
ここで、好ましくは、図２に示すように、ベースプレート２に着脱自在な拡張ベースプレート４を取り付ける構成とするとよい。拡張ベースプレート４は、ほぼ六角形状の平板であり、ねじ４２によってベースプレート２と連結され、載置面４１がベースプレート２の背面２１と同一平面を形成する。このようにすると、遊技部品１３０が設けられることにより、測定したい釘１０（たとえば、生命釘１１）の周囲に、ベースプレート２が載置される複数の釘１０が設けられていない場合であっても、離れた場所の釘１０を利用して仮想基準面２００を設定することができ、支障なく生命釘１１の傾斜角度を測定することができる。
【００２２】
（仮想基準面）
仮想基準面２００は、盤面１１０に配設された複数の釘１０の最上部と当接されたベースプレート２によって、仮想的に設定された平面である。
ところで、パチンコ機１００の釘１０は、専用の釘打ち機で自動的に打ち込まれるので、高さの精度は非常に優れている。一般的に、高さの精度は、コンマ数ｍｍの誤差に収まるので、盤面１１０の直径が約３５０ｍｍであることを考慮すると、盤面１１０に対して仮想基準面２００の最大傾斜角度は、無視できるほど微小であり、測定誤差として許容することができる。すなわち、仮想基準面２００を傾斜角度測定手段３の基準面として使用することができる。
【００２３】
（傾斜角度測定手段）
傾斜角度測定手段３は、ベースプレート２の一方の端部に回転自在に取り付けられ、機械的に釘１０の傾斜角度を計測する手段であり、回転座３１，探針３２，回動軸３３，捻りばね３４，ゲージ筒３５，溝型ピン３６及びねじ輪３７とからなっている。
なお、本実施形態では、機械的直接接触方式を用いた傾斜角度測定手段３を使用しているが、本発明に用いられる傾斜角度測定手段３は、この方式に限定されるものではなく、様々な方式の傾斜角度測定手段３を用いることができる。また、釘１０の傾斜状態や傾斜角度を、電子技術や電気技術を用いてデジタル表示してもよい。
【００２４】
＜回転座＞
回転座３１は、板厚の厚いほぼ円板状としてあり、下部側面に環状の凸部３１１が突設してある。この回転座３１は、凸部３１１がベースプレート２の段付き部２２に載置された状態で、ベースプレート２に装入され、さらに、外周面に雄ねじの形成された円環状のねじ輪３７がベースプレート２に螺着されることにより、凸部３１１がねじ輪３７により上方から係止される。このようにすると、傾斜角度測定手段３をベースプレート２に対して回転自在に取り付けることができ、たとえば釘１０の傾斜方向に応じて、傾斜角度測定手段３の測定方向を容易に合わせることができ、作業効率を向上させることができる。
なお、傾斜角度測定手段３の測定方向は、任意に設定することができるので、生命釘１１の水平方向の傾斜角度や垂直方向の傾斜角度を測定することができる。
【００２５】
回転座３１は、下面のほぼ中央に、水平方向のピン材の両端部が真上方向に折り曲げられた溝型ピン３６が突設してある。この溝型ピン３６は、中央の固定部３６１が、釘１０の頭部１２の底面に近い部分とほぼ同じ高さに位置するように設けられている。
また、回転座３１は、溝型ピン３６の固定部３６１と対向して、探針３２，回動軸３３及び捻りばね３４が設けられている。この探針３２は、捻りばね３４によって時計回り方向に付勢された状態で、回動軸３３によって回動自在に軸支されている。
【００２６】
ここで、好ましくは、回転座３１の材料を透明なアクリル材とするとよく、このようにすると、傾斜角度を測定しようとする生命釘１１を上方から目視することができるので、障害部材傾斜測定装置１の位置合わせが容易となり、測定作業を容易かつ精度よく行うことができる。
なお、回転座３１に覗き孔(図示せず)を設けることによっても、生命釘１１を上方から目視することができることから、覗き孔を設ける場合には、回転座３１の材料は、上記材料に限定されるものではない。
【００２７】
＜探針＞
探針３２は、ほぼ矩形棒状であり、回動軸３３の上方が側面から見て針状に細くなっており、回動軸３３の下方端部が溝型ピン３６側に折り曲げられた測定部３２１を形成してある。この測定部３２１は、パチンコ機１００の盤面１１０に近い部分とほぼ同じ高さに位置するように設けられている。このようにすると、溝型ピン３６の固定部３６１が生命釘１１のほぼ最上部と当接し、測定部３２１が生命釘１１のほぼ最下部と当接するので、生命釘１１の傾斜角度をより精度よく測定することができる。
【００２８】
＜ゲージ筒＞
ゲージ筒３５は、図３に示すように、目盛り板３５１と、この目盛り板３５１が上部端面に一体的に形成された円筒３５２とからなっており、円筒３５２の下部が、回転座３１の上部に装入される。目盛り板３５１は、透明なアクリル板からなり、探針３２の先端部の位置により生命釘１１の傾斜角度を表示する目盛り３５３が印字されている。すなわち、傾斜角度測定手段３は、固定部３６１と測定部３２１が生命釘１１と当接すると、生命釘１１の傾斜角度を目盛り板３５１に表示することができる。
なお、傾斜角度測定手段３は、探針３２と目盛り３５３による表示手段を用い、目視により傾斜角度を読み取る構成としてあるが、この構成に限定されるものではない。図示してないが、たとえば、デジタルノギスのように、探針３２の傾斜角度を電気信号に変換し、この電気信号を記録する記憶手段と、記憶した電気信号を傾斜角度に換算して表示する表示手段とを備えた構成としてもよい。
【００２９】
次に、上記構成の障害部材傾斜測定装置１の使用方法について、図面を参照して説明する。
障害部材傾斜測定装置１は、傾斜角度の測定される釘１０(たとえば、生命釘１１)が、傾斜角度測定手段３のほぼ中央に位置するように、ベースプレート２が、複数の釘１０と当接される。これにより、ベースプレート２が仮想基準面２００を設定する。すなわち、複数の釘１０にもとづく仮想基準面２００上にベースプレート２が載置される。
なお、上記状態は、測定者が左手でベースプレート２を保持することにより、容易に実行することができる。
【００３０】
次に、傾斜角度の測定方向と溝型ピン３６の固定部３６１が直交するように、傾斜角度測定手段３が回転される。
通常、傾斜角度の測定方向は三つあり、第一は、生命釘１１の最大傾斜角度を測定する場合であり、測定者は、目視により認識した傾斜方向と固定部３６１が直交するように、傾斜角度測定手段３を回転させる。
第二は、生命釘１１の水平方向の傾斜角度を測定する場合であり、測定者は、目視により認識した水平方向と固定部３６１が直交するように、傾斜角度測定手段３を回転させる。
第三は、生命釘１１の垂直方向の傾斜角度を測定する場合であり、測定者は、目視により認識した垂直方向と固定部３６１が直交するように、傾斜角度測定手段３を回転させる。
【００３１】
次に、測定者は、ベースプレート２が釘１０と当接した状態で、固定部３６１が生命釘１１と当接するまで、傾斜角度測定手段３を測定方向に移動させる。通常、探針３２の測定部３２１が固定部３６１より先に生命釘１１に当接し、続いて、固定部３６１が生命釘１１と当接する。このとき、測定者は、探針３２が目盛り３５３のどの位置かを読み取ることにより、生命釘１１の傾斜角度を測定することができる。なお、回転座３１の下面が、ベースプレート２の背面２１の上方、又は、背面２１と同一面上に位置しているので、ベースプレート２を、仮想基準面２００に沿ってスムースに移動させることができる。
ここで、測定部３２１及び固定部３６１が生命釘１１と当接するまで、測定方向に移動されるが、この移動は、ベースプレート２を釘１０と当接させながら微小距離移動させる極めて簡単な動作であり、測定作業の作業性を大幅に改善することができる。また、ベースプレート２は、仮想基準面２００上を安定して移動するので、人為的なミスによる測定誤差が発生せず、傾斜角度の測定精度を向上させることができる。
【００３２】
このように、本実施形態の障害部材傾斜測定装置１によれば、傾斜角度を測定する釘１０（たとえば、生命釘１１）が、パチンコ機１００の盤面１１０に配設された障害物（たとえば、アタッカー，役物，入賞口，風車，ガイド部材，演出部品，液晶表示装置など）と接近している場合であっても、仮想基準面２００を容易に設定することができ、容易かつ精度よく傾斜角度を測定することができる。
【００３３】
なお、ベースプレート２の構造は、上記実施形態に限定されるものではなく、たとえば、図４に示すように、大型の六角形状の平板からなるベースプレート２ａとしてもよい。
このベースプレート２ａは、パチンコ機１００の各入賞口や風車などの近傍に打ち込まれた重要な釘１０（図示せず）に対応して、複数の取付け孔２３が配設されている。これらの取付け孔２３は、段付き部２２が形成されており、傾斜角度測定手段３の回転座３１の凸部３１１ａが、段付き部２２に載置される。また、傾斜角度測定手段３は、ねじ輪３７が用いられていないので、取付け孔２３に着脱自在に装入される。すなわち、ベースプレート２ａを盤面１１０の複数の釘１０と当接させた状態で、測定する重要な釘１０に対応した取付け孔２３に、傾斜角度測定手段３を順次装入して測定することにより、複数の釘１０の傾斜角度を効率よく測定することができる。
【００３４】
[第二実施形態]
図５は、本発明の第二実施形態にかかる障害部材傾斜測定装置の構成概略図を示している。
同図において、障害部材傾斜測定装置１ｂは、第一実施形態と比較して、傾斜角度測定手段３の代わりに、光学非接触方式の傾斜角度測定手段５を設けた点が相違する。他の構成要素は第一実施形態と同様としてある。
したがって、図５において、図１と同様の構成部分については同一の符号を付して、その詳細な説明を省略する。
なお、始動口１３２として、上方から、ガイド１３２１，チューリップ１３２２及び始動口本体１３２３が配設してある。
【００３５】
（傾斜角度測定手段）
傾斜角度測定手段５は、光学手段５１と、結像系５２と、撮像手段５３と、本体筐体５４とを有している。
ここで、光学手段５１は、生命釘１１の傾斜角度を測定する際に、その生命釘１１に当接又は接近させる部材、すなわち生命釘１１に最も近づく位置に配置された部材である。この光学手段５１が生命釘１１に近づいた状態においては、その生命釘１１における複数の測定部分の各像が結像系５２で結像される。
なお、障害部材傾斜測定装置１ｂの基準面は、第一実施形態と同様に仮想基準面２００を用いているので、光学手段５１の先端面５１３は、通常、盤面１１０から離れている。
【００３６】
この光学手段５１は、図６に示すように、上面５１１に上面前方部５１１１と上面後方部５１１２とこれらに挟まれた上面傾斜部５１１３とを有しており、上面前方部５１１１が上面後方部５１１２よりも一段低くなるように形成されている。また、下面５１２には下面前方部５１２１と下面後方部５１２２とこれらに挟まれた下面傾斜部５１２３とを有しており、下面前方部５１２１が下面後方部５１２２よりも一段高くなるように形成されている。
このような形状とすることで、光学手段５１の先端面５１３の面積が小さくなることから、対向する生命釘１１どうしの狭い領域に、光学手段５１を挿入させることができる。
【００３７】
また、光学手段５１は、同図に示すように、右側面５１４が、右側面前方部（胴部近接部）５１４１と右側面後方部（頭部近接部）５１４２とこれらに挟まれた右側面段差部（段差部）５１４３とを有しており、右側面後方部５１４２が右側面前方部５１４１よりも一段奥まった位置に形成されている。また、左側面５１５が、左側面前方部（胴部近接部）５１５１と左側面後方部（頭部近接部）５１５２とこれらに挟まれた左側面段差部（段差部）５１５３とを有しており、左側面後方部５１５２が左側面前方部５１５１よりも一段奥まった位置に形成されている。
そして、右側面段差５１４３と左側面段差５１５３は、それぞれ先端面５１３からの距離が、生命釘１１の胴部１３の長さよりも短くなっている。
【００３８】
このような形状とすることにより、光学手段５１の左側面後方部５１５２又は右側面後方部５１４２では生命釘１１の頭部１２に接しないようにし、一方、左側面前方部５１５１又は右側面前方部５１４１では生命釘１１の胴部１３に当接又は接近させることができる。これにより、生命釘１１の胴部１３における複数の測定部分の像を鮮明に捉えることができる。
【００３９】
さらに、光学手段５１は、図７に示すように、透過部材５１６と、反射部材５１７とを有している。
透過部材５１６は、内部に測定ラインが形成される部材であって、例えば、ガラスやアクリルなどで形成できる。
この透過部材５１６は、所定の厚さを有した板状に形成することができ、光学手段５１は、その板状の透過部材５１６が複数枚重ねられた積層構造とすることができる。
【００４０】
この透過部材５１６には、一つの生命釘１１における二以上の測定部分をそれぞれ通る測定ラインが形成される。
例えば、図７に示すように、透過部材５１６が左側の生命釘１１ａに当接又は接近した場合は、その生命釘１１ａにおける二つの測定部分をそれぞれ通る測定ライン（第一測定ラインＬ１、第二測定ラインＬ２）が形成される。また、透過部材５１６が右側の生命釘１１ｂに当接又は接近した場合は、その生命釘１１ｂにおける二つの測定部分をそれぞれ通る測定ライン（第三測定ラインＬ３、第四測定ラインＬ４）が形成される。
【００４１】
ところで、測定ラインＬが通る生命釘１１の測定部分Ｐのうち第一測定部分Ｐ１は、例えば、左側の生命釘１１ａにおける頭部１２ａの底面に近い部分とし、第二測定部分Ｐ２は、左側の生命釘１１ａにおける盤面１１０に近い部分とすることができる。特に、第一測定部分Ｐ１は、遊技媒体（例えば、パチンコ玉など）が当接する部分よりも頭部１２ａの底面に近い部分とすることができる。
具体的には、図７に示すように、第一測定部分Ｐ１は、生命釘１１の頭部１２の底面から約１．５［ｍｍ］離れた部分とすることができる。一方、第二測定部分Ｐ２は、生命釘１１ａの胴部１３ａのうち盤面１１０から約１．０［ｍｍ］離れた部分とすることができる。なお、パチンコ玉が生命釘１１ａに当接する部分は、通常、盤面１１０から約５．５［ｍｍ］離れた部分となる。
このように、一つの生命釘１１ａにおいて、互いに離れたところにそれぞれ測定部分を設けることで、それら測定部分の像の差異（ずれ）がより明確となるため、その生命釘１１ａの傾斜角度をより正確に測定することができる。
【００４２】
なお、透過部材５１６のうち測定ラインを形成しない部分の表面には、遮光のためのシールドを施すこともできる。
また、図７においては、一つの生命釘１１ａにおける測定部分を二つとしているが、二つに限るものではなく、三つ以上とすることもできる。
さらに、本実施形態では、第一光学手段５１ａと第二光学手段５１ｂを設けて、一対の生命釘１１ａ，１１ｂを同時に測定する構成としてあるが、いずれか一方を測定する構成としてもよいことは勿論である。
【００４３】
反射部材（光学距離調整部材）５１７は、一つの光学手段５１に一又は二以上設けられており、各測定ライン（図７においては、第一測定ラインＬ１と第二測定ラインＬ２、第三測定ラインＬ３と第四測定ラインＬ４、あるいは、第一測定ラインＬ１から第四測定ラインＬ４までのすべての測定ライン）の光学距離がすべて同じになるように配置される。このように各測定ラインの光学距離を同じにすることで、それらの焦点距離が一致して鮮明な像を得ることができる。
この反射部材５１７は、光学手段５１の強度を高める機能も有している。
【００４４】
結像系５２は、複数の光学素子で構成されており、複数の生命釘１１ａ，１１ｂのそれぞれにおける二以上の測定部分の像を結像する。
この結像系５２は、具体的には、図５に示すように、対物レンズ群５２１と、接眼レンズ５２２と、プリズム５２３と、撮像手段用接眼レンズ５２４とを備えている。
【００４５】
対物レンズ群５２１は、本体筐体５４内の光学手段５１側に設けられたレンズ群である。なお、図５においては、対物レンズ群５２１として一枚のレンズを設けてあるが、一枚に限るものではなく、複数枚設けることもできる。
接眼レンズ５２２は、測定者の眼が接近する位置に配置されたレンズである。この接眼レンズ５２２を目視すると、結像系５２でつくられた像（一対の生命釘１１ａ，１１ｂにおける二以上の測定部分を現した像）が、虚像（図示せず）として、約２５［ｃｍ］先に見える。なお、実像は、接眼レンズ５２２とプリズム５２３との間や、撮像手段５３上につくられる。
【００４６】
接眼レンズ５２２から視認される像の具体例を図８に示す。
例えば、光学手段５１が図７に示すような構造（所定厚さの板状の透過部材５１６が六枚張り合わされており、そのうち中程の四枚が本体筐体５４に接合された構造）を有している場合には、図８に示すように、複数の生命釘１１ａ，１１ｂにおける複数の測定部分（図７においては、第一測定部分Ｐ１、第二測定部分Ｐ２、第三測定部分Ｐ３、第四測定部分Ｐ４）の各像が、図８の左右方向に並んで現れる。
【００４７】
その接眼レンズ５２２から視認される複数の測定部分の各像は、生命釘１１ａ，１１ｂ自体が傾斜している場合には、同様の傾斜をもって現れる。そして、一つの生命釘１１における二つの測定部分（例えば、左側の生命釘１１ａにおける第一測定部分Ｐ１と第二測定部分Ｐ２）の各像は、生命釘１１ａ自体が傾斜している場合には、それら二つの測定部分の各像に差異δ（ずれ）が生じる。この差異δを見ることにより、その生命釘１１ａの傾斜角度を知ることができる。
接眼レンズ５２２のさらに外側には、生命釘１１の傾斜角度を知るために、方眼（メッシュ）、目盛り、角度、十字線などが施された透明な板（スケール板）を設けることもできる。
【００４８】
プリズム５２３は、像を接眼レンズ５２２と撮像手段用接眼レンズ５２４との双方へ送るための光学素子である。
なお、図５においては、結像系５２として三枚のレンズと一つのプリズムを用いているが、レンズを三枚、プリズムを一枚とすることに限るものではなく、適した形状や機能を有した光学素子を最適な個数だけ組み合わせて用いることができる。
また、本実施形態においては、「光学手段５１」と「結像系５２」とを総称して「光学系」という。
【００４９】
撮像手段（信号変換手段）５３は、例えば、ＣＣＤ（Ｃｈａｒｇｅｄ  Ｃｏｕｐｌｅｄ  Ｄｅｖｉｃｅ）などによって構成でき、結像系５２からの像を電気信号に置き換えて外部（例えば、表示装置）へ出力する。
【００５０】
ここで、図示してないが、上記表示装置を備えることもできる。
表示装置（画像表示手段）は、例えば、ＰＤＡ（Ｐｅｒｓｏｎａｌ  Ｄｉｓｉｔａｌ（Ｄａｔａ）  Ａｓｓｉｓｔａｎｔｓ）などで構成でき、撮像手段５３から送られてきた電気信号を受け取り、この電気信号にもとづいて、図７に示すような画像及び所定のデータなどを表示することもできる。
所定のデータとしては、図８に示すように、測定対象である生命釘１１ａ，１１ｂ（「Ｌ１−Ｌ２」や「Ｌ３−Ｌ４」といった表示）、生命釘１１ａ，１１ｂの傾斜方向（上方向ならば「上」との表示）、生命釘１１ａ，１１ｂの傾斜角度（例えば、「０．４［°］」など）を表示することができる。
さらに、その画像には、傾斜角度が測定できない場合に「不明」と表示させることができる。
【００５１】
本実施形態の障害部材傾斜測定装置１ｂは、二つの光学手段５１（第一光学手段５１ａ及び第二光学手段５１ｂ）を備えることにより、二つの生命釘１１ａ，１１ｂの傾斜角度を少ない手間でそれぞれ測定可能にしている。例えば、左右併設された二つの生命釘１１ａ，１１ｂのうち右側の生命釘１１１１ｂの傾斜角度を測定するときは、その右側の生命釘１１ｂの胴部１３ｂに光学手段５１を近づけるようにし、また、左側の生命釘１１ａの傾斜角度を測定するときは、今度は左側の生命釘１１ａの胴部１３ａに光学手段５１を近づけるようにする。このため、右側の生命釘１１ｂの傾斜角度を測定しているときは、光学手段５１は左側の生命釘１１ｂからは離間した位置となり、また、左側の生命釘１１ａの傾斜角度を測定しているときは、光学手段５１は右側の生命釘１１ｂからは離間した位置となる。そうすると、図７に示される生命釘１１ａ，１１ｂの像は、光学手段５１が近づいた生命釘１１ａについては鮮明に現れるものの、光学手段５１から離間した生命釘１１ｂについては不鮮明となる。この場合、不鮮明となった方の生命釘１１ｂの傾斜角度は正確に測定できないため、図７の画像上「不明」と表示される。
【００５２】
また、障害部材傾斜測定装置１ｂに解析部（図示せず）を設けてもよい。この解析部は、図８に示すような画像や、撮像手段５３から送られてきた電気信号にもとづいて、生命釘１１の傾斜角度を算出する。
具体的には、次の方法によって行うことができる。
前提として、生命釘１１ａの胴部１３の長さは、図７に示すように、約１６．０［ｍｍ］とする。
生命釘１１ａにおける測定部分は、第一測定部分Ｐ１と第二測定部分Ｐ２とする。
これらのうち第一測定部分Ｐ１は、左側の生命釘１１ａの胴部１３ａにおける頭部１２ａの底面から約１．５［ｍｍ］離間した部分とする。一方、第二測定部分Ｐ２は、遊技機１００の盤面１１０から約１．０［ｍｍ］離間した部分とする。この場合、第一測定部分Ｐ１から第二測定部分Ｐ２までの長さＬｐは、
Ｌｐ＝１６−１．５−１．０＝１３．５［ｍｍ］・・・（式１）
となる。
【００５３】
上記画像において、当該画像の第一測定ラインＬ１上に表示された画像に含まれる生命釘１１の第一測定部分Ｐ１の影と、第二測定ラインＬ２上に表示された画像に含まれる生命釘１１の第二測定部分Ｐ２の影との差異δは、表示画面上約１．０［ｍｍ］であるものとする（図８参照）。
この差異δは画面上の差異δであるため、実際の生命釘１１ａにおける第一測定部分Ｐ１と第二測定部分Ｐ２との差異δ’（仮想基準面２００に対して垂直方向に延びる線であって第二測定部分Ｐ２を通る線を基準としたときの、この基準線と第一測定部分Ｐ１との距離）は、表示倍率が１０倍である場合、次式で求められる。
δ’＝画面上の差異δ／表示倍率
＝約１．０［ｍｍ］／１０［倍］＝約０．１［ｍｍ］・・・（式２）
そして、生命釘１１ａの傾斜角度θは、次のような計算により求めることができる。
ｔａｎθ＝（δ’／Ｌｐ）＝（０．１／１３．５）・・・（式３）
θ＝０．４２４４［°］                        ・・・（式４）
これにより、生命釘１１は、仮想基準面２００から垂直に延びた線（基準線）に対して、上方向へ約０．４［°］の傾斜していることがわかる。
【００５４】
以上、本発明の障害部材傾斜測定装置の好ましい実施形態について説明したが、本発明に係る障害部材傾斜測定装置は上述した実施形態にのみ限定されるものではなく、本発明の範囲で種々の変更実施が可能であることは言うまでもない。
例えば、第二実施形態における解析部は、本実施形態においては、表示装置に設けられているが、表示装置に設けることに限るものではなく、例えば、本体筐体５４の内部に設けて結像系５２でつくられた像にもとづき、生命釘１１の傾斜角度を測定・算出することもできる。
【産業上の利用可能性】
【００５５】
本発明は、釘（障害部材）の傾斜角度を測定する装置に関するものであるため、細長い円筒形状又は角柱形状の部材の傾斜角度を測定する装置に利用可能である。
【図面の簡単な説明】
【００５６】
【図１】本発明の第一実施形態にかかる障害部材傾斜測定装置の概略図であり、（ａ）は縦方向断面図を、（ｂ）はＡ−Ａ断面図を示している。
【図２】第一実施形態の障害部材傾斜測定装置に拡張ベースプレートを取り付けた状態を説明するための概略縦方向断面図を示している。
【図３】第一実施形態の障害部材傾斜測定装置の目盛り板を説明するための概略平面図を示している。
【図４】第一実施形態の応用例にかかる障害部材傾斜測定装置の概略図であり、（ａ）はベースプレートの縮小平面図を、（ｂ）はＢ−Ｂ拡大断面図を示している。
【図５】本発明の第二実施形態にかかる障害部材傾斜測定装置の構成概略図を示している。
【図６】第二実施形態にかかる障害部材傾斜測定装置の光学手段の形状を説明するための概略拡大斜視図を示している。
【図７】光学手段の構造，光学手段が障害部材に当接された様子，測定ラインの経路等を説明するための概略拡大上面図を示している。
【図８】接眼レンズ（又は表示装置）に映し出されている像（又は画像）を説明するための概略図を示している。
【図９】パチンコ機の正面の構成を説明するための概略正面図を示している。
【符号の説明】
【００５７】
１，１ｂ  障害部材傾斜測定装置
２，２ａ  ベースプレート
３  傾斜角度測定手段
４  拡張ベースプレート
５  傾斜角度測定手段
１０  釘
１１，１１ａ，１１ｂ  生命釘
１２，１２ａ  頭部
１３，１３ａ  胴部
２１  背面
２２  段付き部
２３  取付け孔
３１  回転座
３２  探針
３３  回動軸
３４  捻りばね
３５  ゲージ筒
３６  溝型ピン
３７  ねじ輪
４１  載置面
４２  ねじ
５１  光学手段（光学系）
５１ａ  第一光学手段
５１ｂ  第二光学手段
５２  結像系（光学系）
５３  撮像手段
５４  本体筐体
１００  パチンコ機
１１０  盤面
１３０  遊技部品
１３１  入賞口
１３２  始動口
１３３  大入賞口
１４０  変動図柄表示装置
２００  仮想基準面
３１１，３１１ａ  凸部
３２１  測定部
３５１  目盛り板
３５２  円筒
３５３  目盛り
３６１  固定部
５１１  上面
５１２  下面
５１３  先端面
５１４  右側面
５１５  左側面
５１６  透過部材
５１７  反射部材
５２１  対物レンズ群
５２２  接眼レンズ
５２３  プリズム
５２４  撮像手段用接眼レンズ
１３２１  ガイド
１３２２  チューリップ
１３２３  始動口本体
５１１１  上面前方部
５１１２  上面後方部
５１１３  上面傾斜部
５１２１  下面前方部
５１２２と下面後方部
５１２３  下面傾斜部
５１４１  右側面前方部
５１４２  右側面後方部
５１４３  右側面段差部
５１５１  左側面前方部
５１５２  左側面後方部
５１５３  左側面段差部
Ｌ１  第一測定ライン
Ｌ２  第二測定ライン
Ｌ３  第三測定ライン
Ｌ４  第四測定ライン
Ｐ１  第一測定部分
Ｐ２  第二測定部分
Ｐ３  第三測定部分
Ｐ４  第四測定部分
【図１】
2006158882.tif 000003
【図２】
2006158882.tif 000004
【図３】
2006158882.tif 000005
【図４】
2006158882.tif 000006
【図５】
2006158882.tif 000007
【図６】
2006158882.tif 000008
【図７】
2006158882.tif 000009
【図８】
2006158882.tif 000010
【図９】
2006158882.tif 000011